(57)【特許請求の範囲】
【請求項１】
一端側をケーブル引留め具を掛止するフック部とし、他端側をねじ杆部とした金物本体のねじ杆部に、締付けナットで締付けられて支持線を挟持する、一対の挟持板を組付けた分線金物に組付けて用いるものであって、引込みケーブルを挿通させる該引込み用ケーブルの導入間隙と、該導入間隙と横方向に重なり合い、しかも、該導入間隙を介して外部と連通する、前記引込み用ケーブルを挿通支持させる該引込みケーブルの支持空間を備えると共に、前記ねじ杆部の先端を貫通させて挟持ナットと前記締付けナットで締付けて前記ねじ杆部に取付ける取付け部片を備えた、引込み用ケーブルの支持具。
【発明の詳細な説明】
【技術分野】
【０００１】
本発明は、電柱間に架設した支持線（メッセンジャーワイヤー）に沿わせて引込み用ケーブル（概し、光ケーブル）を新たに配する際に用いる支持具に関するものである。
【背景技術】
【０００２】
電柱間に架設した支持線に螺旋状ケーブルハンガーを組付け、該螺旋状ケーブルハンガーにケーブルを支持させた、既設のケーブル張架装置に引込み用ケーブル等のケーブルを追加増設するには、前記螺旋状ケーブルハンガー内に一方の電柱側から引き紐通し具を通して他方の電柱側に引き紐を渡し、他方の電柱側から引き紐を牽引して該引き紐に接続したケーブルを、前記ケーブルハンガー内を通じて両電柱間に追加、増設するようにした構造のものが知られている（例えば、特許文献１、段落「００２５」）。そして、前記支持線に分線金物を取付けて追加したケーブルを各建屋に引込むようにしており、分線金物は、一端側を前記追加したケーブルを引き留めるための掛止具を掛止するフック部とし、他端側をねじ杆部とした金物本体の前記ねじ杆部に、締付けナットで締付けて支持線を挟持する、一対の挟持板を組付けた構成で成るものである（例えば、特許文献２）。
【先行技術文献】
【特許文献】
【０００３】
【特許文献１】特開平９−１３５５１０号公報
【特許文献２】実開平１−５８２３１号公報
【発明の概要】
【発明が解決しようとする課題】
【０００４】
前記従来のケーブル追加装置は、既設のケーブルで占められた一定の空間（螺旋状ケーブルハンガーの内側）内に新たなケーブルを追加施工する構成を採るので、その作業が煩雑であり、新設のケーブルのための空間域を確保できず、施工できない場合もある。
【０００５】
本発明は、光ドロップケーブルなどの引込み用ケーブルを一束化するに好適な支持具を提供することを目的として創案したものである。
【課題を解決するための手段】
【０００６】
一端側をケーブル引留め具を掛止するフック部とし、他端側をねじ杆部とした金物本体のねじ杆部に、締付けナットで締付けられて支持線を挟持する、一対の挟持板を組付けた分線金物に組付けて用いるものであって、引込みケーブルを挿通させる該引込み用ケーブルの導入間隙と、該導入間隙と横方向に重なり合い、しかも、該導入間隙を介して外部と連通する、前記引込み用ケーブルを挿通支持させる該引込みケーブルの支持空間を備えると共に、前記ねじ杆部の先端を貫通させて挟持ナットと前記締付けナットで締付けて前記ねじ杆部に取付ける取付け部片を備えた構成とするものである。
【発明の効果】
【０００７】
本発明によれば、支持線に取付けた分線金物（既設、新設を問わず）を利用して支持線上に設置して引込み用ケーブルの一束化を図ることができ、しかも、一束化を図るに際し、引込み用ケーブルを導入間隙を通じて支持空間に係合するだけで足りるから作業性に優れた支持具を提供できる。また、支持空間と導入間隙は横方向に重なり合う関係に配置してあるから、支持空間の内部と外部との間に曲路が形成され、支持空間に係合した引込み用ケーブルは外界に容易に離脱することがなく、確実に保持できる支持具を提供できる。
【図面の簡単な説明】
【０００８】
【図１】斜視図。
【図２】使用状態を示す正面図。
【図３】図２の側面図。
【図４】支持具の正面図。
【図５】側面図。
【図６】平面図。
【実施例】
【０００９】
図面は本発明に係る引込み用ケーブルの支持具の一実施例を示し、実施例の支持具Ａは、合成樹脂製の第一部材１とステンレス鋼板製の第二部材２を互いに組付けて構成したもので、第一部材１は側部片１ｃの上下両端に上、下部片１ａ，１ｂを相対設したコ形枠体で成り、水平状の上部片１ａの自由端部側の中央部には、前記第二部材２の直状部片２ｂを貫通させるスリット３を設けると共に、下部片１ｂを、自由端に至るに従って、水平状の前記上部片１ａに次第に近接する傾斜状と成し、先端部を上部片１ａ方向に折り曲げて前記側部片１ｃに相対する壁部片１ｂ´に設けて構成したものである。
【００１０】
前記第二部材２は、ステンレス鋼板を折り曲げて溝形部片（チャネル部片）２ａと該溝形部片２ａの一端に連設した前記直状部片２ｂとで構成し、直状部片２ｂの先端側中央には縦長の長孔４を設けて構成したものである。
【００１１】
そして、実施例の、引込み用ケーブルの支持具Ａは、第一部材１の上部片１ａに設けたスリット３に、上部片１ａの下面側から第二部材２の直状部片２ｂを溝形部片２ａが前記下面に当接するまで挿通させて、第一、第二部材１，２を互いに組付けることによって形成される。
【００１２】
この支持具Ａは、前記上部片１ａで構成する基板１０の下面側に、該上部片１ａと下部片１ｂおよび側部片１ｃで区画した、基板１０（上部片１ａ）と壁部片１ｂ´間を開口部１１ａとした支持空間１１を備え、該支持空間１１は、該支持空間１１と横方向に重なり合い、前記第二部材２の溝形部片２ａと第一部材１の下部片１ｂとで区画、構成した導入間隙１２を通じて外部と連通する。
【００１３】
本発明に係る支持具Ａは、支持線ａ（図示のものは、だるま型ケーブルＣａと称する支持線一体型ケーブルの支持線で構成してあるが、ケーブルと別体の所謂ワイヤーから成る支持線でも不都合はない）に該支持線ａを一対の挟持板２１，２１間において挟持して取付けた分線金物Ｂに組付けて用いるものであるが、分線金物Ｂ自体は図示の構造のものに限定する必要はない。
【００１４】
支持具Ａは、挟持板２１，２１を締付けた締付けナット２２より突出する金物本体２３のねじ杆部２３ａの先端に、支持具Ａの、前記直状部片２ｂで構成する取付け部片１３を前記長孔（分線金物Ｂからの支持具Ａの突出量を調節するための）４に前記ねじ杆部２３ａを挿通させて組合わせ、長孔４（取付け部片１３）より突出するねじ杆部２３ａ先端に挟持ナット２４を螺合して締付けることにより、支持線ａ上に取付けた分線金物Ｂに組付け、支持され、支持線ａに沿って適宜の間隔を存して設置される。
【００１５】
そして、支持線ａに分線金物Ｂを介して支持させた支持具Ａの支持空間１１に、引込みケーブルｃを貫通させるようにして、下部片１ｂによって支持させるのであって、引込みケーブルｃが既設のときは、下部片１ｂの傾斜を利用して当該引込みケーブルｃを導入間隙１２の開口１２ａに導いて導入間隙１２内に係合して移動させ、開口部１１ａを通じて支持空間１１内に係合し、引込みケーブルｃを新たに追加するときは、該引込みケーブルｃを電柱間に張架後、ケーブル支持線ａに沿って適宜数並設してある前記分線金物Ｂに組付けた支持具Ａに前記と同様に当該ケーブルｃを組付け、支持させる。
【００１６】
なお、分線金物Ｂは、前記ねじ杆部２３ａとフック部２３ｂを並設して成る金物本体２３のねじ杆部２３ａに支持線ａを挟持する一対の挟持板２１，２１を組合わせ、ねじ杆部２３ａに螺合した締付けナット２２を締付けることにより挟持板２１，２１が支持線ａを挟持し、支持線ａに取付けられる。そして、この取付け状態で、金物本体２３のフック部２３ｂになす環状の掛止環部Ｄａを引っ掛けるようにして引留め具（公知）Ｄを組付け、該引留め具Ｄに支持空間１１に挿通させて保持させた引込みケーブルｃの支持線部ｃ´を組付け、該引込みケーブルｃの建屋への引込み（引留め）作業を行うのである。
【００１７】
また、図示のものは、図２や図３で示す通り、分線金物Ｂの下側に本発明に係る支持具Ａを配してあるが、現場の状況によっては、分線金物Ｂの上方に支持具Ａを配して用いるようにしても良い。この上方に配する場合は、下方に配したとき（図２や図３）は引込みケーブルｃ下部片１ｂが受支するが、上部片１ａ（基板１０）がケーブルｃ（図２の２点鎖線）を受支することになる。すなわち、実施例の支持具Ａは分線金物Ｂの上下いずれの側に配しても支障なく適用できるものである。
【符号の説明】
【００１８】
１１    支持空間
１２    導入間隙
１３    取付け部片
２１    挟持板
２２    締付けナット
２３    金物本体
２３ａ  ねじ杆部
２３ｂ  フック部
２４    挟持ナット
【図１】
0005351854.tif 000002
【図２】
0005351854.tif 000003
【図３】
0005351854.tif 000004
【図４】
0005351854.tif 000005
【図５】
0005351854.tif 000006
【図６】
0005351854.tif 000007